(57)【特許請求の範囲】
【請求項１】
シートの加工装置としてのフラップカッタ、クラッシャ、スロッタがシート流れ方向の上流側から上記順に配され、前記加工装置は駆動手段によってそれぞれシート幅方向に移動可能であり、前記加工装置のうちシート両側となる位置の加工装置はシート流れ方向で線対称な配置となっており、シートは前記加工装置が予め設定された値を基準として、前記シート幅方向で所定位置に移動することによって、シートの厚さ違いに対応して加工され、内貼り箱と外貼り箱とではシートの継代位置がシート幅方向における反対側の位置に加工されることを特徴とする製函機の製函ユニット。 
【請求項２】
シートの加工装置としてのクラッシャ、フラップカッタ、スロッタがシート流れ方向の上流側から上記順に配され、前記加工装置は駆動手段によってそれぞれシート幅方向に移動可能であり、前記加工装置のうちシート両側となる位置の加工装置はシート流れ方向で線対称な配置となっており、シートは前記加工装置が予め設定された値を基準として、前記シート幅方向で所定位置に移動することによって、シートの厚さ違いに対応して加工され、内貼り箱と外貼り箱とではシートの継代位置がシート幅方向における反対側の位置に加工されることを特徴とする製函機の製函ユニット。
【請求項３】
シートの加工装置としてのクラッシャ、スロッタ、フラップカッタがシート流れ方向の上流側から上記順に配され、前記加工装置は駆動手段によってそれぞれシート幅方向に移動可能であり、前記加工装置のうちシート両側となる位置の加工装置はシート流れ方向で線対称な配置となっており、シートは前記加工装置が予め設定された値を基準として、前記シート幅方向で所定位置に移動することによって、シートの厚さ違いに対応して加工され、内貼り箱と外貼り箱とではシートの継代位置がシート幅方向における反対側の位置に加工されることを特徴とする製函機の製函ユニット。
【請求項４】
シートから継代を切り出すフラップカッタ、前記貼り合わされるシートの板厚を薄くするためのクラッシャ、前記シートに罫線付与する押罫部材、及び、シートに溝切り加工を施すスロッタを備え、シートの上下位置で軸回転する一対の加工ロール群を前記加工装置とすることを特徴とする請求項１ないし３のいずれか１項記載の製函機の製函ユニット。
【発明の詳細な説明】
【技術分野】
【０００１】
本発明は、製函機の製函ユニットに関する。
【背景技術】
【０００２】
一般に、製函機は、上流側から順に、給紙ユニット、印刷ユニット、製函ユニット、ダイカッタ、グルア、フォルダ、及びカウンタユニットを備える。給紙ユニットは、シート状のワーク（以下、シートと称する）を印刷ユニット側に送り出す。印刷ユニットは、シートに印刷を施す。製函ユニットは、シートに罫線付与と溝切り加工とフラップカット等を施す。ダイカッタは、シートに抜き加工を施す。グルアは、シート同士を貼り合わせする箇所（継代）に糊付けする。フォルダは、シートを折り曲げて接合する。カウンタユニットは、上記加工が施されたシートを揃えて積み上げる。
【０００３】
本明細書において、製函機とは、シートに高速で上記一連の加工を施す装置を指しており、箱体（段ボール箱）に組立てる手前の状態まで加工する装置を指している。シートとしては、段ボールシートや厚紙、これらと樹脂や金属等との複合材料を含む。代表的なものは段ボールシートである。本明細書では、シート流れ方向とはシートの進行方向のうち概ね水平な方向を指しており、シート流れ方向と直交する概ね水平な方向をシート幅方向という。
【０００４】
グルアの上流側には、製函ユニットが配されている。製函ユニットには、継代貼り合せ後のシート板厚の総計を薄くする方向で調整するためのクラッシャ、シートから継代を切り出すフラップカッタ、シートに罫線付与を施す押罫部材、シートに溝切り加工を施すスロッタが備わっている。なお、特許文献３では、上記製函ユニットをスロッタユニットとして記述している。
【０００５】
内貼り箱は、外側に出っ張りがなく見映えがよくなり、積み重ねたときの引っ掛かりがないため、例えば、果物を入れる箱、部資材用の箱、引越し用の箱等に用いられている。外貼り箱は、内側に出っ張りがなく内容積が大きくなり、内容物を四角形状に保ち易い利点があるため、例えば、コピーや印刷などの用紙を入れる箱等に用いられている。現在は内貼り箱が主流となっているが、両方の箱形態が流通している。ここで、図９（ａ）に示す内貼り箱や図９（ｂ）に示す外貼り箱は、箱として組立て、製封する前段階の形態であるが、便宜上、内貼り箱、外貼り箱として以下に説明する。
【０００６】
特許文献１には、ローラにて液状糊を転写する転写方式のグルアに関し、糊付ロールと、同糊付ロールに係合する糊供給用アプリケータと、同糊付ロールとの間に着脱（隙間調整）可能に係合させたシート受車と、同シート受車を有する回転フレームを、シートパスラインを中心に１８０°回転できるよう取付けたことが記載されている。
特許文献２には、シートを折り曲げるフォルダに関し、板状体（シート）の一部が折曲げ棒に当接して同板状体の前進に伴ない同板状体を折曲げるようにした板状体折曲げ装置において、前記折曲げ棒を保持するアームを伸縮可能に構成すると共に、該アームを架台の一部に設けた軸を中心として揺動可能に構成し、更に該アームの伸縮量及び揺動角度を設定する機構を設けたことが記載されている。
【０００７】
特許文献１では、糊付け方向が反転可能としているが、ローラにて液状糊を転写する転写方式では、液状糊の粘度などの状態が安定するようにローラを回転し続けており、そのローラの回転を止めて、ローラ上の液状糊を除去し、機構部を反転させることとなるので、大掛かりで煩雑な作業となる。特許文献２では、シートを折り曲げる位置の微調整を目的としており、その前工程の作業については触れていない。つまり、内貼り箱の生産から外貼り箱の生産に切り替える際には、グルアでの糊付け面を鉛直下向きから上向きに反転させ、さらに、フォルダでのシート折曲げ順序を変更するといった大幅な設定変更をしなければならず、この切換え作業がとても煩雑な作業となっている。
そこで、特許文献３では、スロッタユニットが複数連結されている構成とすることで、内貼り箱と外貼り箱とでは、シートの継代位置がシート幅方向における反対側の位置に加工されるようにしている。
【先行技術文献】
【特許文献】
【０００８】
【特許文献１】特許第２９０９３１２号公報
【特許文献２】実公平０６−００１４０３号公報
【特許文献３】特開２０１４−１００８５０号公報
【発明の概要】
【発明が解決しようとする課題】
【０００９】
上述のように、特許文献３記載の装置では、内貼り箱と外貼り箱とでは、シートの継代位置がシート幅方向における反対側の位置に加工されるようにするため、スロッタユニットが複数連結されている構成としている。しかしながら、スロッタユニットを複数連結させる構成以外にも、内貼り箱の生産から外貼り箱の生産に切り替えることが容易となる装置構成が見出された。
【００１０】
そこで、本発明の目的は、製函ユニットの加工ロール軸数を増設することなく、内貼り箱の生産から外貼り箱の生産に切り替えること、あるいは外貼り箱の生産から内貼り箱の生産に切り替えることが容易となる新規な製函機の製函ユニットを提供することにある。
【課題を解決するための手段】
【００１１】
本発明の製函機の製函ユニットは、シートの加工装置としてのフラップカッタ、クラッシャ、スロッタがシート流れ方向の上流側から上記順に配され、前記加工装置は駆動手段によってそれぞれシート幅方向に移動可能であり、前記加工装置のうちシート両側となる位置の加工装置はシート流れ方向で線対称な配置となっており、シートは前記加工装置が予め設定された値を基準として、前記シート幅方向で所定位置に移動することによって、シートの厚さ違いに対応して加工され、内貼り箱と外貼り箱とではシートの継代位置がシート幅方向における反対側の位置に加工されることを特徴とする。また、シートの加工装置としてのクラッシャ、フラップカッタ、スロッタがシート流れ方向の上流側から上記順に配され、前記加工装置は駆動手段によってそれぞれシート幅方向に移動可能であり、前記加工装置のうちシート両側となる位置の加工装置はシート流れ方向で線対称な配置となっており、シートは前記加工装置が予め設定された値を基準として、前記シート幅方向で所定位置に移動することによって、シートの厚さ違いに対応して加工され、内貼り箱と外貼り箱とではシートの継代位置がシート幅方向における反対側の位置に加工されることを特徴とする。また、シートの加工装置としてのクラッシャ、スロッタ、フラップカッタがシート流れ方向の上流側から上記順に配され、前記加工装置は駆動手段によってそれぞれシート幅方向に移動可能であり、前記加工装置のうちシート両側となる位置の加工装置はシート流れ方向で線対称な配置となっており、シートは前記加工装置が予め設定された値を基準として、前記シート幅方向で所定位置に移動することによって、シートの厚さ違いに対応して加工され、内貼り箱と外貼り箱とではシートの継代位置がシート幅方向における反対側の位置に加工されることを特徴とする。
【００１２】
本発明によれば、製函ユニットの加工ロール軸数を増設することなく、ひとつの製函ユニットで、内貼り箱の生産から外貼り箱の生産に簡単に切り替えることができる。すなわち、グルアでの糊付け面を反転させなくて済み、フォルダでのシート折曲げ順序を変更する作業も不要となる。
【００１３】
前記駆動手段としては、電動モータが挙げられる。前記モータとしては、誘導モータ、サーボモータ、ステッピングモータなどが用いられる。
【００１４】
本発明は、前記シート流れ方向の上流側から、前記加工装置としてのフラップカッタ、クラッシャ、スロッタの順に配されており、予め設定された値を基準として前記シート幅方向で前記シートの厚さ違いに対応した所定位置に移動することを特徴とする。
【００１５】
本発明は、前記シート流れ方向の上流側から、前記加工装置としてのクラッシャ、フラップカッタ、スロッタの順に配されており、予め設定された値を基準として前記シート幅方向で前記シートの厚さ違いに対応した所定位置に移動することを特徴とする。
【００１６】
本発明は、前記シート流れ方向の上流側から、前記加工装置としてのクラッシャ、スロッタ、フラップカッタの順に配されており、予め設定された値を基準として前記シート幅方向で前記シートの厚さ違いに対応した所定位置に移動することを特徴とする。この場合、スロッタとフラップカッタは同軸複合加工となる。
【００１７】
本発明によれば、内貼り箱と外貼り箱のいずれにおいても、前記シートの厚さ違いに対応して歪みのない四角形状の箱とすることが容易となる。
【００１８】
本発明には、前記設定値を基準として前記駆動手段を駆動する制御手段が備わっている。前記制御手段は、製函機に備わっているものが使用でき、また、製函ユニットに専用の制御手段を備える場合がある。
【発明の効果】
【００１９】
本発明の製函機の製函ユニットによれば、内貼り箱の生産から外貼り箱の生産に簡単に切り替えること、あるいは外貼り箱の生産から内貼り箱の生産に切り替えることができ、また、内貼り箱と外貼り箱のいずれにおいても、前記シートの厚さ違いに対応して歪みのない四角形状の箱とすることが容易となる。
【図面の簡単な説明】
【００２０】
【図１】本発明を適用した実施形態の製函機をＯＰ側（操作側）から見た側面図である。
【図２】上記実施形態の製函機のうち、製函ユニットとその周辺ユニットの要部をＯＰ側の側面から示す要部構造図である。
【図３】上記実施形態の製函ユニットの第１の例の構成部材の上下ロールの配置断面を上から見た模式図であり、内貼り箱を作製する場合の図である。
【図４】上記実施形態の製函ユニットの第１の例の構成部材の上下ロールの配置断面を上から見た模式図であり、外貼り箱を作製する場合の図である。
【図５】上記実施形態の製函ユニットの第２の例の構成部材の上下ロールの配置断面を上から見た模式図であり、内貼り箱を作製する場合の図である。
【図６】上記実施形態の製函ユニットの第２の例の構成部材の上下ロールの配置断面を上から見た模式図であり、外貼り箱を作製する場合の図である。
【図７】上記実施形態の製函ユニットの第３の例の構成部材の上下ロールの配置断面を上から見た模式図であり、内貼り箱を作製する場合の図である。
【図８】上記実施形態の製函ユニットの第３の例の構成部材の上下ロールの配置断面を上から見た模式図であり、外貼り箱を作製する場合の図である。
【図９】シートを貼り合せた立体図であり、（ａ）は内貼り箱であり、（ｂ）は外貼り箱である。
【発明を実施するための形態】
【００２１】
以下、本発明を適用した具体的な実施の形態について、図面を参照しながら詳細に説明する。
【００２２】
（本発明の実施の形態）
図１は、本発明を適用した実施形態の製函機（本発明の製函機１）をＯＰ側（操作側）から見た側面図である。ここで、シート流れ方向を符号ｙで示す。製函機１は、上流側から順に、シートを印刷ユニット側に送り出す給紙ユニット１１、シートに印刷を施す印刷ユニット１２、シートに罫線付与と溝切り加工とフラップカット等を施す製函ユニット１３、シートに抜き加工を施すダイカッタ１４、シートに糊付け加工を施すグルア１５、シートを折り曲げて接合するフォルダ１６、上記加工が施されたシートを揃えて積み上げるカウンタユニット１７、から構成される（図１）。図２は、本実施形態の製函機１のうち、製函ユニット１３の要部とその周辺ユニットの要部をＯＰ側の側面から示す要部構造図である。符号１１１は給紙ユニット１１においてシート２００の左右の位置を規制するシートガイドである。符号５１はグルア１５においてシート２００に糊付け加工を施すグルーガンであり、本実施形態では、グルーガン５１はそのノズルを下向きとして、シート２００の上方に非接触で配されている（図２）。
【００２３】
図３は、本実施形態の製函ユニットの第１の例の構成部材の上下ロールの配置断面を上から見た模式図であり、内貼り箱２０１を作製する場合の図である。図４は、本実施形態の製函ユニットの第１の例の構成部材の上下ロールの配置断面を上から見た模式図であり、外貼り箱２０２を作製する場合の図である。
本実施形態の製函ユニット１３は、上流側から順に、シートから継代を切り出すフラップカッタ３１、貼り合わされるシートの板厚を薄くするためのクラッシャ３３、シートに溝切り加工を施すスロッタ３５が配されている（図３、図４）。符号３２，３４は、シートに罫線付与を施す押罫部材である。
【００２４】
図３において、符号２１０は、クラッシャ３３２にてシート２０１の板厚が薄くなったエリアである。図４において、符号２１１は、クラッシャ３３１にてシート２０２の板厚が薄くなったエリアである。符号２２１と２２２は、継代である。糊が塗布されたエリア２００ａ及び２００ｃは、ハッチングで示している。符号２３１，２３２，２３３，２３４，２４０，２４１は、罫線である。
図９（ａ）に示す内貼り箱２０１とする場合には継代の糊付けエリア２００ａに糊付けし、また、図９（ｂ）に示す外貼り箱２０２とする場合には、継代と対応する本体側面の糊付けエリア２００ｃに糊付けする。
【００２５】
本実施形態では、内貼り箱２０１とする場合と外貼り箱２０２とする場合とで、グルーガン５１の糊射出方向は下向きのままの状態で、糊付けする位置はシート幅方向ｘの同じ側で、内貼り箱２０１の生産から外貼り箱２０２の生産に切り替える構成、あるいは外貼り箱２０２の生産から内貼り箱２０１の生産に切り替える構成となっている。よって、重力に逆らわず、安定した糊付けができ、糊付けエリアの設定が容易となる。
【００２６】
（内貼り箱の作製）
内貼り箱２０１を作製する場合には、図３に示すとおり、シート流れ方向ｙにシート２０１が上流側から搬送されると、フラップカッタ３１２にて継代が切り出され、押罫部材３２，３２，・・・にて罫線２３１，２３２，２３３，２３４等が形成され、クラッシャ３３２にて符号２１０のエリアの板厚が薄くされ、スロッタ３５，３５，・・・にてシート２０１に溝切り加工が施され、製函ユニット１３を通過後、その次工程のダイカッタ１４にてシート２０１に抜き加工が施され（図示せず）、その次工程のグルア１５にてシート２０１の継代２２１の糊付けエリア２００ａに糊付け加工が施されて、その次工程のフォルダ１６にてシート２０１が折り曲げられ接合され、カウンタユニット１７にてシート（折り畳まれた状態の内貼り箱２０１）が揃えて積み上げされる。
【００２７】
（外貼り箱の作製）
外貼り箱２０２を作製する場合には、図４に示すとおり、シート流れ方向ｙにシート２０１が上流側から搬送されると、フラップカッタ３１１にて継代が切り出され、押罫部材３２，３２，・・・にて罫線２３１，２３２，２３３，２３４等が形成され、クラッシャ３３１にて符号２１１のエリアの板厚が薄くされ、スロッタ３５，３５，・・・にてシート２０１に溝切り加工が施され、製函ユニット１３を通過後、その次工程のダイカッタ１４にてシート２０１に抜き加工が施され（図示せず）、その次工程のグルア１５にてシート２０２の継代２２２の糊付けエリア２００ｃに糊付け加工が施されて、その次工程のフォルダ１６にてシート２０１が折り曲げられ接合され、カウンタユニット１７にてシート（折り畳まれた状態の外貼り箱２０２）が揃えて積み上げされる。
【００２８】
本実施形態によれば、製函ユニット１３の加工ロール軸数を増設することなく、簡単な設定調整をするだけで、内貼り箱２０１の生産から外貼り箱２０２の生産に速やかに切り替えることができる（図３、図４）。図３と図４に示す例では、製函ユニット１３の加工ロール軸数は３つであり、極力少ない加工ロール軸数で内貼り箱の生産から外貼り箱の生産に簡単に切り替えることができる。
そして、グルア１５の糊射出方向は下向きのままの状態で変更せず、その次工程のフォルダ１６はシートの折り曲げ順の設定変更が不要となる。シートの加工装置は図示しない駆動手段によってそれぞれ予め設定された値を基準として前記シート幅方向で前記シートの厚さ違いに対応した所定位置に移動する構成となっており、前記加工装置のうちシート両側となる位置の加工装置がシート流れ方向で線対称な配置となっているので、図示しない制御手段からの指令で、内貼り箱と外貼り箱とではシートの継代位置がシート幅方向における反対側の位置に簡単に加工されることとなる。
したがって、本実施形態では、内貼り箱２０１では継代２２１がＯＰ側に加工され、外貼り箱２０２では継代２２２がＤＲ側に加工される（図３、図４）。
【００２９】
さらに、本実施形態によれば、内貼り箱２０１と外貼り箱２０２のいずれにおいても、シート２００の厚さ違いに対応して歪みのない四角形状の箱とすることが容易となる。
また、外貼り箱２０２の継代２２２のフラップカットを、特許文献３にあるようなハードカットではなく、内貼り箱２０１の継代２２１のフラップカットと同様にソフトカットとすることができるので、調整が容易であり、フラップカッタ３１１の耐久性が向上する。
【００３０】
図５は、本実施形態の製函ユニットの第２の例の構成部材の上下ロールの配置断面を上から見た模式図であり、内貼り箱２０１を作製する場合の図である。図６は、本実施形態の製函ユニットの第２の例の構成部材の上下ロールの配置断面を上から見た模式図であり、外貼り箱２０２を作製する場合の図である。ここで、同一の符号は同じ機能を意味しており、その説明の一部を適宜省略する。
本実施形態の製函ユニット１３は、上流側から順に、貼り合わされるシートの板厚を薄くするためのクラッシャ３３、シートから継代を切り出すフラップカッタ３１、シートに溝切り加工を施すスロッタ３５が配されている（図５、図６）。符号３２，３４は、シートに罫線付与を施す押罫部材である。
【００３１】
図７は、本実施形態の製函ユニットの第３の例の構成部材の上下ロールの配置断面を上から見た模式図であり、内貼り箱２０１を作製する場合の図である。図８は、本実施形態の製函ユニットの第３の例の構成部材の上下ロールの配置断面を上から見た模式図であり、外貼り箱２０２を作製する場合の図である。ここで、同一の符号は同じ機能を意味しており、その説明の一部を適宜省略する。
本実施形態の製函ユニット１３は、上流側から順に、貼り合わされるシートの板厚を薄くするためのクラッシャ３３、シートに溝切り加工を施すスロッタ３５及びシートから継代を切り出すフラップカッタ３１が配されている（図７、図８）。符号３２，３４は、シートに罫線付与を施す押罫部材である。この場合、スロッタ３５とフラップカッタ３１は同軸複合加工となる。
【００３２】
以上、本発明は、上述した実施の形態に限定されるものではない。上述の形態では、製函ユニット１３には、スリッタが配されていない構成で説明したが、スロッタ３５の下流側に、シートにスリット加工を施すスリッタを配してもよい。またスロッタ３５の下流側に、シートにクラッシャ加工を施すクラッシャを配してもよい。このように、本発明は、その趣旨を逸脱しない範囲で適宜変更が可能であることは言うまでもない。
【符号の説明】
【００３３】
１                      本発明の製函機、
１１                    給紙ユニット、
１２                    印刷ユニット、
１３                    本発明に係る製函ユニット、
１４                    ダイカッタ、
１５                    グルア、
１６                    フォルダ、
１７                    カウンタユニット、
３１                    フラップカッタ、
３３                    クラッシャ、
３５                    スロッタ、
２００                  シート、
２０１                  内貼り箱、
２０２                  外貼り箱、
２２１、２２２          継代
【図１】
0006585367.tif 000002
【図２】
0006585367.tif 000003
【図３】
0006585367.tif 000004
【図４】
0006585367.tif 000005
【図５】
0006585367.tif 000006
【図６】
0006585367.tif 000007
【図７】
0006585367.tif 000008
【図８】
0006585367.tif 000009
【図９】
0006585367.tif 000010